(57)【要約】【課題】  配線作業にかかる工数を減少させ、配線の自由度も高めることができる電装ボックスを提供する。【解決手段】  内部電装部品を保護する電装ボックス５２は、室内ユニット１のボックス収納室に収納され、キャビネット２ａの前面側に固定される。ボックス本体５２ａと、その開口部を着脱自在に覆う蓋５２ｂとから構成され、蓋５２ｂ及び／又はボックス本体５２ａを取り外さなくても配線接続できるように、電装ボックス５２の表面に中継コネクタ５３を取り付ける。これにより、配線作業を簡単に行うことができ、配線の自由度も高めることができる。【選択図】  図７
2008133970.tif 000002
【特許請求の範囲】
【請求項１】
内部電装部品を保護する電装ボックスであって、プリント基板等の内部電装部品を収納するボックス本体と、その開口部を覆う蓋とを備え、蓋及び／又はボックス本体の表面に中継コネクタが複数個配設されたことを特徴とする電装ボックス。
【請求項２】
前記中継コネクタと内部電装部品とがリード線により接続されたことを特徴とする請求項１に記載の電装ボックス。
【請求項３】
後ろ側のキャビネットと、前側の前面パネルとから装置本体のケーシングが構成され、前面パネルに電気部品が取り付けられ、該電気部品とキャビネット側に固定された電装ボックスとが配線接続された空気調節装置であって、
前記電装ボックスは、プリント基板等の内部電装部品を収納するボックス本体と、その開口部を覆う蓋とを備え、蓋及び／又はボックス本体の表面に中継コネクタが複数個配設されたことを特徴とする空気調節装置。
【請求項４】
前記電気部品が運転状況を表示する表示装置であることを特徴とする請求項３に記載の空気調節装置。
【請求項５】
前記中継コネクタと内部電装部品とがリード線により接続されたことを特徴とする請求項３に記載の空気調節装置。
【請求項６】
前面パネルをキャビネットに取り付け後に配線作業を行うために、前面パネルに配線作業窓が設けられたことを特徴とする請求項３に記載の空気調節装置。
【発明の詳細な説明】
【技術分野】
【０００１】
本発明は、空気調和機の室内ユニット等の空気調節装置に用いられる電装ボックスの改良に関するものである。
【背景技術】
【０００２】
この種の電装ボックスは、内部電装部品を保護するために設けられる。特許文献１にはボックス本体に蓋が取り外し可能に取り付けられ、蓋の前面部に複数の開口部を形成し、この開口部にプリント基板に固定された横コネクタを臨ませ、開口部を通してコネクタへの配線作業が行えるようにした電装ボックスが開示されている。この電装ボックスによると、蓋をボックス本体から取り外さなくてもコネクタの配線作業を行える利点がある。
【特許文献１】特開平１０−１４５０４７号公報
【発明の開示】
【発明が解決しようとする課題】
【０００３】
ところで、近年の空気調和機では多機能になり、その分、室内ユニット等に収納される電装ボックスに接続する配線数も多くなっている。
【０００４】
しかしながら、特許文献１のように、蓋に複数の開口部を形成すると、配線数に比例して開口部の数が多くなるため、万一、内部電装部品が発火した場合、炎が開口部を通して外部まで漏れる可能性があり、蓋の役割を果さないことになる。また、蓋の開口部に合わせてコネクタの位置も定まるので、配線作業が行い難い場合がある。
【０００５】
本発明は、上記に鑑み、配線作業にかかる工数を減少させ、配線の自由度も高めることができる電装ボックス及びこれを用いた空気調節装置の提供を目的としている。
【課題を解決するための手段】
【０００６】
上記目的を達成するため、本発明に係る電装ボックスは、内部電装部品を収納するボックス本体と、その開口部を覆う蓋とを備え、蓋及び／又はボックス本体の表面に中継コネクタが複数個配設されたことを特徴とする。
【０００７】
上記構成によると、電装ボックスの表面に中継コネクタが表出されているため、各種電気部品と電装ボックスとの配線は蓋を取り外さなくても簡単に行い得、配線作業にかかる工数を減少させることができる。しかも、接続する電気部品の交換時には中継コネクタ部分の配線を取り外すだけで交換することができるので、部品交換作業も簡単に行える。さらに、電装ボックスの蓋には、従来のように開口部が存在しないため、内部電装部品が発火しても、その炎が外部に出ることがなく、安全性も向上する。
【０００８】
また、中継コネクタを用いるため、その取付位置を自由に設定することができ、配線の引き回しが行いやすくなる。
【０００９】
なお、中継コネクタとプリント基板等の内部電装部品とはリード線により接続すればよい。
【００１０】
また、電装ボックスは空気調和機の室内ユニット等の空気調節装置に用いられる。例えば、後ろ側のキャビネットと、前側の前面パネルとから空気調節装置の装置本体ケーシングが構成される。このようなケーシングの前面パネルに電気部品、例えば、運転状況を表示する表示装置が取り付けられ、該表示装置とキャビネット側に固定された電装ボックスとが配線接続される。
【００１１】
この場合、前面パネル側に表示装置等の電気部品を取り付けるので、その電源等の供給はリード線を介して電装ボックスから行うことになる。そのため、リード線の配線は、前面パネルをキャビネットに組み付け後に行うことになる。
【００１２】
このとき、電装ボックスとして、プリント基板等の内部電装部品を収納するボックス本体と、その開口部を覆う蓋とを備え、蓋及び／又はボックス本体の表面に中継コネクタを複数個配設したものを使用することができる。
【００１３】
上記構成によると、前面パネルをキャビネットに組み付け後においても、表示装置等の電気部品と電装ボックスとの配線が容易に行えることになる。なお、電気部品としては、表示装置以外にリモコンの赤外線信号等を受信する受信装置等を例示することができる。
【００１４】
また、前面パネルをキャビネットに取り付け後に配線作業を行うために、前面パネルに配線作業窓を設ける。これにより、配線作業が容易に行える。
【発明の効果】
【００１５】
以上のように、本発明によると、電装ボックスの表面に中継コネクタが表出されているため、各種電気部品と電装ボックスとの配線は蓋を取り外さなくても簡単に行うことができ、配線作業にかかる工数を減少させることができる。しかも、接続する電気部品の交換時には中継コネクタ部分の配線を取り外すだけで交換することができるので、部品交換作業も簡単に行える。また、電装ボックスの蓋には、従来のように開口部が存在しないため、内部電装部品が発火しても、その炎が外部に出ることがなく、安全性も向上する。また、中継コネクタを用いるため、その取付位置を自由に設定することができる。
【発明を実施するための最良の形態】
【００１６】
図１は本実施形態のセパレート型空気調和機の室内ユニットの概観斜視図、図２は同じく前面パネルの斜視図である。図３は室内ユニットの断面図で、同図（ａ）は運転停止時における断面図、同図（ｂ）はカバーパネルの開放した状態を示す断面図、同図（ｃ）は導風パネルの開放状態を示す断面図である。
【００１７】
室内ユニット１は、ケーシング２の上面に空気の吸込口３が形成され、ケーシング２の前面下部に空気の吹出口４が形成される。ケーシング２の内部には、吸込口３から吹出口４に至る内部空気通路が形成され、この内部空気通路に熱交換器５と室内ファン６とが配設される。
【００１８】
ケーシング２は、後ろ側のキャビネット２ａと、前側の前面パネル２ｂとから箱状に形成される。キャビネット２ａは、室内の壁面に取り付けられる板状部材であって、前側には熱交換器５や室内ファン６等の室内ユニット１を構成する主要部材が取り付けられる。また、キャビネット２ａには、熱交換器５からの露受け皿となる前後のドレンパンが設置され、その間に内部空気通路が形成される。
【００１９】
前面パネル２ｂは、背面側が開放した箱状の部材であって、前面下部に左右幅方向に長い吹出口４が形成され、また、上面に同じく左右幅方向に長い吸込口３が形成される。
【００２０】
吹出口４には縦ルーバと横ルーバとからなる風向変更装置３６が配設される。また、吹出口４には、運転停止時に吹出口４を覆い、運転時に吹出口４から吹出す風を遠方まで届くように導く導風パネル７が設けられる。
【００２１】
前面パネル２ｂは、図２に示すように、吹出口４の上側にフィルタ２１を着脱自在に挿入するフィルタ挿入口３３が形成される。フィルタ挿入口３３のさらに上側には、表示装置を構成する運転表示部４０と、リモコンの第１の受信部４１とが並んで配設される。
【００２２】
運転表示部４０および第１の受信部４１の配置は、導風パネル７の覆い姿勢で、導風パネル７の上端よりも上側に位置する。また、前面パネル２ｂの下面で、吹出口４および導風パネル７から外れた位置に、第１の受信部４１とは別に第２の受信部４２が配設される。
【００２３】
運転表示部４０では、ＬＥＤにより、除菌イオンの運転状況や室内の空気の汚れ具合を表示する。また、設定温度や室外の温度を表示する。第１受信部４１および第２の受信部４２では、リモコンからの赤外線信号を受信する。
【００２４】
運転表示部４０の構成をさらに詳述する。図４は前面パネルの側面断面図、図５は電装ボックスの斜視図、図６は電装ボックスの正面図、図７は電装ボックスの概略を示す分解斜視図である。
【００２５】
図４〜図７に示すように、運転表示部４０は、発光ユニット４３と、運転状態を図形や文字を表面に印刷して表された表示パネル４４とを備えている。表示パネル４４は、図２に示すように、前面パネル２ｂの表示窓４５の表面側から前面パネル２ｂに取付られる。なお、表示パネル４４は、前面パネル２ｂの表示窓４５を覆うよう前面パネル２ｂに係脱自在に係合する化粧パネル５６と一体的に形成してもよい。
【００２６】
また、発光ユニット４３は、前面パネル２ｂの裏側から前面パネル２ｂに係合固定される。発光ユニット４３は、ＬＥＤ４６付きのプリント基板４６ａを内装保持する固定箱４７と、ＬＥＤ４６からの光を前面に導くＬＥＤガイド４８とを備える。ＬＥＤガイド４８は、固定箱４７に係合固定され、固定箱４７は、前面パネル２ｂの表示窓４５の周囲に周知構造の係合手段（例えば、係合爪と係合穴との組合せ）により係合固定される。
【００２７】
固定箱４７の裏面には、配線コネクタ５１が配設される。この発光ユニット４３側のコネクタ５１と電装ボックス５２の中継コネクタ５３とが配線により接続される。
【００２８】
電装ボックス５２は、図２に示すように、前面パネル２ｂの端部に形成されたボックス収納室に収納され、キャビネット２ａの前面側に固定される。電装ボックス５２では、ボックス本体５２ａを覆う蓋５２ｂを取り外さなくても配線接続できるように、電装ボックス５２の表面に中継コネクタ５３が表出されている。そのため、発光ユニット４３のコネクタと電装ボックス５２の中継コネクタ５３との配線は、図２に示すように、前面パネル２ｂの端部に形成された配線作業窓５４から簡単に行うことができる。
【００２９】
電装ボックス５２について、さらに詳述する。電装ボックス５２は、図７に示すように、前面が開放された箱状のボックス本体５２ａと、その前面開口部を着脱自在に覆う箱形状の蓋５２ｂとを備えている。ボックス本体５２ａには、トランジスタ、ダイオード等の電装品を搭載したプリント基板５８が内装され、輸送時にプリント基板５８などを衝撃から保護するようになっている。
【００３０】
そして、図７に示すように、蓋５２ｂ及び／又はボックス本体５２ａの表面側に中継コネクタ５３が取り付けられる。中継コネクタ５３とプリント基板５８との電気的接続はリード線５９を用いて行われる。プリント基板におけるリード線５９の端末処理は半田接続、加締め接続、あるいは基板用コネクタ（図示略）を用いてもよい。中継コネクタ５３とリード線との接続も上記と同様である。
【００３１】
中継コネクタ５３は、室内ユニット１の電気部品の数に合わせて蓋５２ｂ及び／又はボックス本体５２ａに複数個取り付けられる。中継コネクタ５３は、表示装置４０、後述する室内ファン６、風向変更装置３６、イオン発生装置（不図示）、導風パネル７の回動駆動部、フィルタ清掃装置２２の吸引ファンやフィルタ移動用モータ、換気装置（不図示）、電気集塵機（不図示）などの電源供給用コネクタとして用いられる。また、リモコン赤外線信号の受信部４１、４２からの信号送信用、あるいは熱交換器５の温度や室温を検出するサーミスタからの信号送信用コネクタとしても用いられる。
【００３２】
また、第１の受信部４１等の電気部品は、表示装置である運転表示部４０と同様に、前面パネル側に第１の受信部４１が取り付けられ、第１の受信部４１と電装ボックス５２の中継コネクタ５３とが配線接続される。また、電気部品である第２の受信部４２も電装ボックス５２の中継コネクタ５３に配線接続される。
【００３３】
次に、室内ユニット１のその他の主要部材について簡単に説明する。ケーシング２の内部空気通路は、ケーシング上面の吸込口３から吸込んだ室内の空気をフィルタ２２を通した後、熱交換器５で熱交換し、冷風又は温風として室内ファン６によって吹出口４から室内側に放出されるものである。この内部空気通路において、吹出口近傍で正負のイオンを放出し、この正負の除菌イオンを吹出される空気と共に室内に放出されるように、イオン発生装置（図示略）を吹出口４の近傍に設けることができる。
【００３４】
室内ファン６は、クロスフローファンであって、その回転軸の軸方向が左右方向とされる。室内ファン６は、内部空気通路において熱交換器５よりも吹出口４側に配置される。
【００３５】
熱交換器５は、４つの熱交換器５ａ〜５ｄから構成され、これらのうち３つの熱交換器５ａ、５ｂ、５ｃが前後および上側の三方から室内ファン６を囲むように逆Ｖ字形に配置される。後側に位置する熱交換器５ｃの背面側には、さらに一つの補助熱交換器５ｄが後ろ側熱交換器５ｃと平行に配置される。各熱交換器５は、熱媒管と多数のフィンとから直方体形状に形成され、熱媒管の端部同士で他の熱交換器と接続され、冷凍サイクルの一部を構成するようになっている。
【００３６】
また、例えば、後ろ側の熱交換器５ｃ、５ｄと前側の熱交換器５ａ、５ｂとの間に切換弁（不図示）を設け、除湿運転時には、後ろ側の熱交換器５ｃ、５ｂを凝縮器として使用し、前側の熱交換器５ａ，５ｂで湿気を除去した空気を、後ろ側熱交換器５ｃ、５ｄの排熱を利用して暖めて吹出口４から放出する再熱除湿もできるようになっている。
【００３７】
吸込口３に対面して吸込んだ室内の空気から塵埃を除去するフィルタ２１が設けられる。フィルタ２１は、極細繊維がネット状に編成又は織成され、吸込口３に対面して配置することにより、吸引した空気から塵や埃を除去できるようになっている。
【００３８】
このフィルタ２１を清掃するフィルタ清掃装置２２が設けられる。フィルタ清掃装置２２は、ケーシング２の上面前側と前面上側と前側の熱交換器５ａ、５ｂとで囲まれた空間部に配置される。フィルタ清掃装置２２は、ケーシング２内でフィルタ２１を移動させる側面視でＵ字形に湾曲した移動案内路２４と、該移動案内路２４に面してフィルタに付着した塵埃を吸引除去する塵埃除去ボックス２５と、フィルタ２１を移動案内路２４に沿って移動させる駆動手段２６とを備えている。
【００３９】
このフィルタ清掃装置２２では、モータ及びギヤ機構からなる駆動手段２６を駆動してフィルタを移動案内路２４に沿って移動させつつ、塵埃除去ボックス２５の端部から吸引ファン（不図示）によって、フィルタ２１と略平行方向（左右方向）に空気を流すことで、フィルタ２１に付着した塵埃を除去する。この際、塵埃除去ボックス２５内に回転ブラシを設け、フィルタ２１に付着した塵埃を掻き取るようにする。
【００４０】
また、導風パネル７は、第１の回動軸１０周りに回動により、吹出口４から斜め上方向に配置されて吹出口４から吹出す空気を斜め上方向に導く導風姿勢と、ケーシング２の前面に沿って配置され、吹出口４を含むケーシングの前面の少なくとも下半分を覆う覆い姿勢とに切換え自在とされる。
【００４１】
さらに、導風パネル７は、主に吹出口４を覆うカバーパネル８と、該カバーパネル８の先端部に連続して設けられた延長パネル９とに分割される。カバーパネル８は延長パネル９に対して第２の回動軸１１の周りに開閉回動自在に支持される。
【００４２】
そして、カバーパネル８は、延長パネル９をケーシング２の前面に沿わせた覆い姿勢を保ちつつ、第２の回動軸１１の周りの回動により、吹出口４を覆う閉姿勢と、下端が垂直方向に開いた開姿勢とに切り換え自在とされる。カバーパネル８の開姿勢は、主に暖房運転時や局所的に冷風を吹出させたい急速冷房運転時に、吹出口４から吹出した風を垂直下方に導くときに採用される。
【００４３】
上記構成においては、運転停止時には、導風パネル７が吹出口４を覆う覆い姿勢となっている。この状態で、導風パネル７よりも上方に運転表示部４０があるため、室内空気の汚れ具合の表示や温度表示を容易に視認することができ、その視認結果に基づき空気調和機の運転制御を行いやすくなる。
【００４４】
また、冷房運転時に導風パネル７を第１の回動軸１０周りに回動して導風姿勢にすると、吹出口４から吹出した空気は、略水平方向ないし斜め上方向に導かれ、室内ユニット１を天井近くの壁面に据え付けた場合、吹出口４から吹出した冷風は天井面に沿って室内全体に行き渡り、室内全体を冷房することができる。
【００４５】
このとき、運転表示部４０は、ケーシング２の前面上部に位置し、吹出口４の近傍から離れた場所に設置されているので、吹出口４から吹出す冷風により運転表示部４０が結露するのを防止することができる。
【００４６】
一方、暖房運転時などに、カバーパネル８を第２の回動軸１１周りに開回動すると、カバーパネル８が垂直方向に向き、吹出口４から吹出した風が下方に導かれる。
【００４７】
また、運転表示部４０は、運転状態や図形や文字を表面に印刷して表している表示パネル４４および発光ユニット４３を共に前面パネル２ｂ側に取り付けているので、両者間にズレを生じることがなく、光漏れや誤表示を防止することができる。
【００４８】
運転表示部４０の組み立ては、表示窓４５に表示パネル４４を取付け、また、発光ユニット４３を前面パネル２ｂの裏面側から表示窓４５に周囲に周知の係合固定手段を用いて係合固定する。このとき、予め、発光ユニット４３の裏面のコネクタ５１に配線を接続しておく。
【００４９】
次に、前面パネル２ｂをキャビネット２ａ側に嵌合し、前面パネル２ｂの作業窓５４から配線の他端コネクタを電装ボックス５２のコネクタ５３に接続する。同様に、第１の受信部４１および第２の受信部４２の配線コネクタも電装ボックス５２のコネクタ５３に接続して配線を完了する。
【００５０】
このとき、電装ボックス５２では、ボックス本体５２ａを覆う蓋５２ｂを取り外さなくても配線接続できるように、電装ボックス５２の表面にコネクタ５３が表出されている。そのため、各種電気部品と電装ボックス５２との配線は、前面パネル２ｂの端部に形成された配線作業窓５４から簡単に行うことができる。
【００５１】
また、電気部品の交換時においても電装ボックス５２の表面のコネクタ５３部分で配線を取り外せばよいので、蓋を取り外すことなく部品交換も簡単に行える。
【００５２】
さらに、電装ボックス５２では、蓋５２ｂに従来のように開口部が存在しないため、内部部品が発火しても、その炎が外部に出ないため、安全性も向上する。
【００５３】
また、電装ボックス５２では、蓋５２ｂ及び／又はボックス本体５２ａの表面に取り付けられたコネクタ５３を用いるため、その取付位置を自由に設定することができ、配線の引き回しを行いやすくなる。
【００５４】
なお、本発明は、上記実施形態に限定されるものではなく、本発明の範囲内で多くの修正・変更を加えることができるのは勿論である。例えば、上記実施形態では、表示装置を空気調和機の室内ユニットに搭載したが、空気清浄機や除湿機、加湿機などの空気調節装置にも適用することができる。また、電装ボックスは、図示形状に限定されるものではなく、種々の形状のものを採用することができる。
【図面の簡単な説明】
【００５５】
【図１】図１は本実施形態のセパレート型空気調和機の室内ユニットの概観斜視図
【図２】前面パネルの斜視図
【図３】（ａ）は運転停止時における室内ユニットの断面図、同図（ｂ）はカバーパネルの開放した状態を示す室内ユニットの断面図、同図（ｃ）は導風パネルの開放状態を示す室内ユニットの断面図
【図４】（ａ）は前面パネルの側面断面図、（ｂ）はその要部拡大図
【図５】電装ボックスの斜視図
【図６】電装ボックスの正面図
【図７】電装ボックスの概略を示す分解斜視図
【符号の説明】
【００５６】
１      室内ユニット
２      ケーシング
３      吸込口
４      吹出口
５      熱交換器
６      室内ファン
７      導風パネル
８      カバーパネル
９      延長パネル
１０    第１回動軸
１１    第２回動軸
２１    フィルタ
２２    フィルタ清掃装置
２４    移動案内路
２５    塵埃除去ボックス
２６    駆動手段
３３    フィルタ挿入口
４０    運転表示部
４１    第１の受信部
４２    第２の受信部
４３    発光ユニット
４４    表示パネル
４５    表示窓
４７    固定箱
４８    発光ガイド
５２    電装ボックス
５２ａ  ボックス本体
５２ｂ  蓋
５３    中継コネクタ
５４    配線作業窓
５８    プリント基板
５９    リード線
【図１】
2008133970.tif 000003
【図２】
2008133970.tif 000004
【図３】
2008133970.tif 000005
【図４】
2008133970.tif 000006
【図５】
2008133970.tif 000007
【図６】
2008133970.tif 000008
【図７】
2008133970.tif 000009